(57)【要約】      （修正有）【課題】何らかの動作を必要とすることなく着用者の頭上からかぶせ、衣服が確実に着用者から脱落しないようにした衣服を提供する。【解決手段】一本以上の弾性帯状材２を備えた衣服１である。衣服は、その上部領域からその下部領域にかけて、使用者の肩に掛けることを意図した開口を有している。それぞれの弾性／伸縮可能帯状材２の一端は、衣服１の後ろ側の開口の一方の側に固定され、同時に、帯状材２の第２端は衣服１の開口の他方の側に取付けられる。少なくとも一本の弾性帯状材２は、衣服の上部領域付近の上部に位置する。弾性帯状材２は衣服が着用者から脱落するのを防止するとともに、大きさの異なる着用者の動作や要求に合わせて衣服を伸張させたり調節したりすることを可能にする。【選択図】図２
0003182677.tif 000002
【実用新案登録請求の範囲】
【請求項１】
少なくとも一つの開口を備えた、体を覆う部分と、
前記開口を跨いで延在するとともに、前記体を覆う部分の前記開口のそれぞれの側に取付けられた、少なくとも一本の弾性帯状材と、を含む、衣服。
【請求項２】
前記衣服が、着用後に前記衣服を着用者に固定する少なくとも一つの補助的手段を備えた、請求項１に記載の衣服。
【請求項３】
着用後に前記衣服を前記着用者に固定するために帯紐が使用される、請求項２に記載の衣服。
【請求項４】
前記衣服を固定する前記補助的手段が、面ファスナーであり、前記衣服の少なくとも一つの適切な位置に取付けられる、請求項２に記載の衣服。
【請求項５】
前記衣服が、前記体を覆う部分から各手へと延伸し、別個の親指用の開口と他の指用の開口とを含む袖をさらに含んでいる、請求項１に記載の衣服。
【請求項６】
少なくとも一本の弾性帯状材が前記衣服の上部に配置される、請求項１に記載の衣服。
【請求項７】
前記衣服が使い捨てである、請求項１に記載の衣服。
【請求項８】
前記衣服が再使用可能に設計されている、請求項２に記載の衣服。 
【請求項９】
少なくとも一つの開口を備えた、体を覆う部分と、
前記開口を跨いで延在するとともに、前記体を覆う部分の前記開口のそれぞれの側に取付けられた、少なくとも一本の弾性帯状材と、を含む、衣服。
【請求項１０】
袖が前記体を覆う部分から各手へと延出し、別個の親指用の開口と他の指用の開口とを含んでいる、請求項９に記載の衣服。
【請求項１１】
前記衣服が、着用後に前記衣服を着用者に固定する少なくとも一つの補助的手段を備えた、請求項９に記載の衣服。 
【請求項１２】
着用後に前記衣服を前記着用者に固定するために帯紐が使用される、請求項１１に記載の衣服。
【請求項１３】
前記衣服を固定する前記補助的手段が、面ファスナーであり、前記衣服の少なくとも一つの適切な位置に取付けられる、請求項１１に記載の衣服。
【請求項１４】
少なくとも一つの開口を備えた、体を覆う部分と、
前記衣服の上部領域から下部領域にかけて延在する少なくとも一つの開口と、
前記開口を跨いで延びるとともに、前記体を覆う部分の前記開口のそれぞれの側に取付けられた、少なくとも一本の弾性帯状材と、を含む、衣服。
【請求項１５】
前記衣服が、前記体を覆う部分から各手へと延出し、別個の親指用の開口と他の指用の開口とを含む袖をさらに含んでいる、請求項１４に記載の衣服。
【請求項１６】
前記衣服が、着用後に前記衣服を着用者に固定する少なくとも一つの補助的手段を備えた、請求項１４に記載の衣服。
【請求項１７】
着用後に前記衣服を前記着用者に固定するために帯紐が使用される、請求項１６に記載の衣服。
【請求項１８】
前記衣服を固定する前記補助的手段が、面ファスナーであり、前記衣服の少なくとも一つの適切な位置に取付けられる、請求項１６に記載の衣服。
【考案の詳細な説明】
【技術分野】
【０００１】
本考案は医療衣に関する。
【背景技術】
【０００２】
医療処置の際に患者、来院者、そして医療従事者によって使用される多様な衣服が存在する。使い捨て及び再使用可能な衣服の両方が利用されている。それらの衣服が、着用者によって容易に着用されるとともに固定できるようにすることは重要である。衣服が脱落しないように固定することは重大な問題である。結び紐、ボタン、面ファスナー、及びスナップ等の各種手段が使用されている。これらすべてにおいて着用者や他の者による余分な動作が必要である。
【考案の概要】
【課題を解決するための手段】
【０００３】
衣服に弾性帯状材を含めることによって、何らかの動作を必要とすることなく着用者の頭上からかぶせ、衣服が確実に着用者から脱落しないようにすることが可能となる。
【図面の簡単な説明】
【０００４】
【図１】図１は衣服を着用中の患者の背側を示す。
【図２】図２は図１の一部分を示す部分図である。
【図３】図３は衣服の一実施形態の正面図を示す。
【考案を実施するための形態】
【０００５】
図面に示されている記載の実施形態は、一本以上の弾性帯状材（２）を備えた衣服（１）である。典型的に、衣服は、その上部領域からその下部領域にかけて、使用者の肩に掛けることを意図した開口を有している。それぞれの弾性／伸縮可能帯状材（２）の一端は、衣服（１）の後ろ側の開口の一方の側（３）に固定され、同時に、帯状材（２）の第２端は衣服（１）の開口の他方の側（４）に取付けられる。図１に示すように、少なくとも一本の弾性帯状材は、典型的に衣服の上部領域付近の上部に位置する。弾性帯状材は衣服が着用者から脱落するのを防止するとともに、大きさの異なる着用者の動作や要求に合わせて衣服を伸張させたり調節したりすることを可能にする。衣服の素材は、必然的に、目的とする用途、また想定される着用者によって変えることができる。このように、衣服は使い捨て或いは再使用可能であってよい。
【０００６】
この衣服は、図１に示すように使用者の手のための袖と開口を含んでいてもよい。別個の親指用開口（７）と他の指用開口（８）によって、衣服を着用者に固定するための補助的手段が提供される。これは使用者が、例えば、外科医であるときに特に重要である。
【０００７】
本考案においては、多数の実施形態が想定される。弾性帯状材の数、寸法、位置は、当然ながら、衣服の対象となる着用者に合わせて改変することができる。
【０００８】
当然ながら、衣服をさらに固定するための補助的手段を含めてもよい。図１及び図３には、そのような手段の一つが示されている。図１及び図３は、前側（６）に固定され、衣服を包囲するのに十分長く、後ろ側で結ばれる帯紐（５）を示している。パンツのベルトとして使用される一つ以上の輪を、要望に応じて、衣服に配置してもよく、帯紐を定位置に保持する。帯紐の長さ及び帯紐を衣服に固定する手段は、要望に応じて変えることができ、衣服の前側、側方、或いは後ろ側において閉じることができるようになる。
【０００９】
他の実施形態においては、衣服における開口の位置及び数は異なっている。さらに他の実施形態において、帯紐は、衣服をさらに固定するための他の手段と取り換えられる。それらには、当然ながら、衣服の開口の両側に取付けられて配置された面ファスナー、感圧接着帯状材、又はスナップが含まれる。
【００１０】
上記の全実施形態を、使い捨て、或いは再使用可能な衣服に組み込むこともできる。医療用途以外の、食品調理、化学試験、工業用クリーンルーム等の他の用途に用いられる衣服も含まれる。
【００１１】
上記は、本考案の特定の実施形態の詳細な説明である。開示された実施形態からの発展が本考案の範囲内においてなされ得ること、また、当業者によって明らかに改変が行われることは言うまでもない。当業者は、本開示に照らして、個々に開示された特定の実施形態において多くの改変を行うことができ、また、本考案の精神及び範囲を逸脱することなく類似の結果を得られることも理解されるはずである。ここに開示し請求した全ての実施形態は、本開示に照らして過度な実験をすることなく作成及び実行することが可能である。
【図１】
0003182677.tif 000003
【図２】
0003182677.tif 000004
【図３】
0003182677.tif 000005